(57)【要約】【課題】録画済み番組の番組再生中に、視聴者が他の録画済み番組を容易に再生することが可能なデジタル放送受信機及び録画番組表示方法を提供する。【解決手段】デジタル放送受信機は、録画指定されたチャンネルの番組を録画指定された複数の異なる時間帯に亘って録画する録画手段と、再生中の録画番組と同じチャンネルにおける前記再生中の録画番組より以前の録画番組と、前記再生中の録画番組より以後の録画番組の番組情報を取得する隣接番組情報取得手段と、画面の一部に前記再生中の録画番組の前記番組情報を中心に配置し、前記以前の録画番組の前記番組情報を上方に配置し、前記以後の録画番組の前記番組情報を下方に配置して表示する表示手段と有する。【選択図】図６
2011254169.tif 000002
【特許請求の範囲】
【請求項１】
録画指定されたチャンネルの番組を録画指定された複数の異なる時間帯に亘って録画する録画手段と、
再生中の録画番組と同じチャンネルにおける前記再生中の録画番組より以前の録画番組と、前記再生中の録画番組より以後の録画番組の番組情報を取得する隣接番組情報取得手段と、
画面の一部に前記再生中の録画番組の前記番組情報を中心に配置し、前記以前の録画番組の前記番組情報を上方に配置し、前記以後の録画番組の前記番組情報を下方に配置して表示する表示手段と
を有するデジタル放送受信機。
【請求項２】
録画指定されたチャンネルの番組を録画指定された複数の異なる時間帯に亘って録画する録画手段と、
再生中の録画番組と同じ時間帯かつ前記再生中の録画番組のチャンネルより小さいチャンネル番号の録画番組と、再生中の録画番組と同じ時間帯かつ再生中の録画番組のチャンネルより大きいチャンネル番号の録画番組の番組情報を取得する隣接番組情報取得手段と、
画面の一部に前記再生中の録画番組の前記番組情報を中心に配置し、前記小さいチャンネル番号の録画番組の前記番組情報を左方に配置し、前記大きいチャンネル番号の録画番組の前記番組情報を右方に配置して表示する表示手段と
を有するデジタル放送受信機。
【請求項３】
前記表示手段は、前記以前の録画番組よりも更に以前の録画番組が存在する場合に、前記以前の録画番組の前記番組情報の上方に更に以前の録画番組が存在することを示すマークを表示する請求項１記載のデジタル放送受信機。
【請求項４】
前記表示手段は、前記以後の録画番組よりも更に以後の録画番組が存在する場合に、前記以後の録画番組の前記番組情報の下方に更に以後の録画番組が存在することを示すマークを表示する請求項１記載のデジタル放送受信機。
【請求項５】
前記表示手段は、前記小さいチャンネル番号の録画番組より更に小さいチャンネル番号の録画番組が存在する場合に、前記小さいチャンネル番号の録画番組の前記番組情報の左方に更に小さいチャンネル番号の録画番組が存在することを示すマークを表示する請求項２記載のデジタル放送受信機。
【請求項６】
前記表示手段は、前記大きいチャンネル番号の録画番組より更に大きいチャンネル番号の録画番組が存在する場合に、前記大きいチャンネル番号の録画番組の前記番組情報の右方に更に大きいチャンネル番号の録画番組が存在することを示すマークを表示する請求項２記載のデジタル放送受信機。
【請求項７】
前記以前の録画番組の前記番組情報が選択された場合に、再生される番組が前記再生中の録画番組から前記以前の録画番組に切り換える制御手段を有する請求項１記載のデジタル放送受信機。
【請求項８】
前記小さいチャンネル番号の録画番組の前記番組情報が選択された場合に、再生される番組が前記再生中の録画番組から前記小さいチャンネル番号の録画番組に切り換える制御手段を有する請求項２記載のデジタル放送受信機。
【請求項９】
録画指定されたチャンネルの番組を録画指定された複数の異なる時間帯に亘って録画し、
再生中の録画番組と同じチャンネルにおける前記再生中の録画番組より以前の録画番組と、前記再生中の録画番組より以後の録画番組の番組情報を取得し、
再生中の録画番組と同じ時間帯かつ前記再生中の録画番組のチャンネルより小さいチャンネル番号の録画番組と、再生中の録画番組と同じ時間帯かつ再生中の録画番組のチャンネルより大きいチャンネル番号の録画番組の番組情報を取得し、
画面の一部に前記再生中の録画番組の前記番組情報を中心に配置し、前記以前の録画番組の前記番組情報を上方に配置し、前記以後の録画番組の前記番組情報を下方に配置し、前記小さいチャンネル番号の録画番組の前記番組情報を左方に配置し、前記大きいチャンネル番号の録画番組の前記番組情報を右方に配置して表示する録画番組表示方法。
【発明の詳細な説明】
【技術分野】
【０００１】
本発明の実施形態は、デジタル放送によって受信した番組を録画することが可能なデジタル放送受信機及び録画済み番組の録画番組表示方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、１週間先までの番組表が表示でき、放送時間や出演者など、番組内容の表示や知りたい情報の検索、番組の視聴予約や録画予約を行うことができる。
【０００３】
チャンネル数の増加に伴い、視聴者が視聴したい番組の放送時間が増大し、また放送時間が重複したりすることが起きるため、番組を録画して視聴者の都合に合わせて番組を視聴する機会が増えてきた。複数のチューナと比較的大きな記憶容量を有する記録装置を用いて、複数のチャネルの番組を同時に録画できるデジタル放送受信機が登場している。
【先行技術文献】
【特許文献】
【０００４】
【特許文献１】特開２００１−１８６４７２
【発明の概要】
【発明が解決しようとする課題】
【０００５】
複数のチューナを搭載し比較的大きな録画容量を持つ記録装置を内蔵したり、または外部接続したデジタル放送受信機においては、複数のチャネルの番組について同時に連続録画を行うことが可能であり、録画した多数の番組の中から所望の番組を選択して再生することが可能である。
【０００６】
視聴者は、新聞の番組欄のように表示された録画済み番組の番組表を見ながら、リモコンのカーソルボタンを用いて選択し、決定ボタンを押下することによって所望の録画済み番組を視聴する。録画済み番組を視聴しているときに、別の録画済み番組を見る場合には、録画済み番組の番組表を再度表示して、同じようにリモコンのカーソルボタンを用いて選択し、決定ボタンを押下して、別の番組を視聴する。
【０００７】
録画済み番組の番組表を表示するには、大量の録画済み番組の番組情報を取得し、それらの情報をまとめて表示するために、処理の負荷が大きく画面に表示するまでに時間が掛かる。処理の負荷が大きいため、録画済み番組の再生中に同時に録画済み番組の番組表を表示することは難しい。たとえ、画面に表示する録画済み番組の番組数とチャンネル数を少なくしたミニ番組表であっても、番組情報を収集し表示する負荷は依然として大きい。
【０００８】
以上のように、録画済み番組の再生中に、別の録画済み番組を見る場合には、録画済み番組の番組表または録画済み番組のミニ番組表を表示して、リモコンのカーソルボタンを用いて選択し、決定ボタンを押下しなければならず、操作が面倒である。さらに録画済み番組の番組表または録画済み番組のミニ番組表を表示するには時間を要するため、短時間で別の録画済み番組を再生することは難しい。
【０００９】
通常、放送されているテレビ番組の視聴においては、リモコンのチャンネルボタンを操作することによって直接選局や、チャンネル送りボタンを用いて、ザッピングでの視聴が可能である。録画済み番組の再生中に録画済み番組のザッピングを実現するのは、全てのチャンネルと番組が録画されているわけでないので、リモコンでのチャンネルボタンあるいはチャンネル送りボタンを用いてザッピングを実現することが難しい。また、前述したように、録画済み番組の番組表を表示するために、複数の操作や表示時間を要するため、録画済み番組のザッピングを実現することが難しい。
【００１０】
本発明の目的は、上記したような事情に鑑み成されたものであって、録画済み番組の番組再生中に、視聴者が他の録画済み番組を容易に再生することが可能なデジタル放送受信機及び録画番組表示方法を提供することである。
【課題を解決するための手段】
【００１１】
上記目的を達成するために、実施形態によれば、デジタル放送受信機は、録画指定されたチャンネルの番組を録画指定された複数の異なる時間帯に亘って録画する録画手段と、再生中の録画番組と同じチャンネルにおける前記再生中の録画番組より以前の録画番組と、前記再生中の録画番組より以後の録画番組の番組情報を取得する隣接番組情報取得手段と、画面の一部に前記再生中の録画番組の前記番組情報を中心に配置し、前記以前の録画番組の前記番組情報を上方に配置し、前記以後の録画番組の前記番組情報を下方に配置して表示する表示手段と有する。
【図面の簡単な説明】
【００１２】
【図１】実施形態に係わるデジタル放送受信機１の構成を示すブロック図。
【図２】リモコンの実施例を示した概観図。
【図３】画面に表示された番組表の例を示した図。
【図４】録画されたチャンネルと時間帯の例を示した図。
【図５】画面に表示された録画済み番組表の例を示した図。
【図６】画面に表示された隣接番組表示の例を示した図。
【図７】隣接番組表示の詳細を示した図。
【図８】図７に示した隣接番組表示の状態からから再生番組を切り替えた後の隣接番組表示の詳細を示した図。
【図９】隣接番組表示処理の動作手順の例を示したフローチャート。
【図１０】２個のチャンネルについて録画されたチャンネルと時間帯の例を示した図。
【図１１】２個のチャンネルについて録画された録画済み番組の録画番組表の例を示した図。
【図１２】録画番組のチャンネルの数が２個の場合の隣接番組表示の例を示した図。
【図１３】実施形態２における隣接番組表示の例を示した図。
【図１４】実施形態３における隣接番組表示の例を示した図。
【図１５】実施形態４における隣接番組表示の例を示した図。
【発明を実施するための形態】
【００１３】
以下実施形態について図面を参照しながら説明する。
【００１４】
（実施形態１）
図１は、実施形態のデジタル放送受信機１の構成を示したブロック図である。アンテナ２は、放送局２９から送信された放送電波を受信するための地上デジタル放送あるいは衛星デジタル放送用のアンテナである。
【００１５】
チューナ３は、地上デジタル放送あるいは衛星デジタル放送の放送信号の中から所望のチャンネルの放送信号を選局する。チューナ３は、複数のチューナユニットから構成されており、同時に複数の放送を受信することができる。
【００１６】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。
【００１７】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部５は、録画装置１８からの再生データをデコードする。
【００１８】
重畳処理部６は、デコード処理部５からの映像データと、バス１２を介して転送されるデータ放送やＯＳＤデータ生成部２６によるウィンドウ描画をプレーン管理して、映像データとの重ね合わせを行い、映像処理部７に送る。
【００１９】
映像処理部７は、表示装置８で表示可能なフォーマット（画素数、フレーム周波数、走査方式）に変換したり、表示色を任意に調整したりして、表示装置８に出力して映像を画面９に表示させる。
【００２０】
音声処理部１０は、デコード処理部５から伝送されたデジタルの音声データを、スピーカ１１で再生可能なアナログ音声信号に変換した後、スピーカ１１に出力して音声を再生させる。なお、表示装置８やスピーカ１１はデジタル放送受信機１の外部にあってもよい。またデジタル放送受信機１と別の筐体に納められていてもよい。
【００２１】
デジタル放送受信機１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００２２】
ＲＡＭ（Random Access Memory）１５は、制御部１３のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２３】
フラッシュメモリ１７は、書き換え可能であり、電源を切ってもデータが消えない不揮発性の半導体メモリである。フラッシュメモリ１９は、録画番組情報、録画予約情報等を記憶する機能を有する。
【００２４】
録画装置１８は、ＨＤＤ（Hard Disk Drive）、ＳＳＤ（Solid State Drive）或いはＯＤＤ（Optical Disc Drive）等を含む録画手段である。録画装置１８には記録装置に情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤ或いはＯＤＤに記録し、また再生する。再生データは、デコード処理部５でデコードされる。
【００２５】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード等のインターフェースであり、ＵＳＢメモリやＵＳＢ外部機器、ＳＤメモリカード、ＨＤＤ、ＳＳＤ、ＣＤ−Ｒ／ＲＷ、ＤＶＤライター等のドライブ類を含む外部記憶装置２０が外部の録画手段として接続される。外部インターフェース１９を介して外部記憶装置２０に放送番組を録画することができる。番組を録画装置１８または外部記憶装置２０のどちらに録画するかを視聴者が選択できる。
【００２６】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、そのリモコン、キーボード等から操作信号を受信する。
【００２７】
デジタル放送受信機１は、送受信部２３を介してインターネット等のネットワーク３０に接続されている。これにより、デジタル放送受信再生装置１は、ネットワーク３０上にあるサーバ３１等の機器と送受信部２３を介して情報伝送を行なうことができる。
【００２８】
制御部１３は、録画番組表生成部２４、隣接番組情報取得手段２５、ＯＳＤデータ生成部２６の機能を有する。これらの機能は、制御部１３のＭＰＵ１４が実行するアプリケーションであり、通常はＲＯＭ１６に格納されており、使用時にはＭＰＵ１４によって読み出され実行される。
【００２９】
デジタル放送受信機１は、複数のチューナ３を搭載しており、複数の番組について同時に連続録画の録画指定を行うことが可能である。録画番組表生成部２４は、視聴者により録画指定された複数のチャンネルと録画指定された時間における録画番組表を生成する。
【００３０】
視聴者は画面９上のＥＰＧデータによる番組表を見ながら、番組を選択して録画または録画予約することができる。ＥＰＧは多チャンネル化が進む中で視聴者が容易に番組を選択することを目的に提供されている。新聞などにおけるテレビ番組欄の表示様態を真似てデジタル放送受信機１の表示装置８の画面９上に表示している。視聴者は、画面９の番組表を見ながらリモコンを使って番組選択や詳細情報の表示、録画予約に利用する。
【００３１】
ＥＰＧデータによる番組表の表示様態は放送受信機メーカや放送受信機の機種によって異なっているが、デジタル放送受信機１においては、上述した新聞などにおけるテレビ番組欄のように横方向にチャンネル軸、縦方向に時間軸として表示し現在時刻以降に放送される番組が並ぶように表示されている。番組を選択するとその番組の番組名、放送日時以外に、番組のジャンル、出演者や番組内容等の詳細情報が表示される。
【００３２】
ＥＰＧデータは映像・音声などと同様にパケット化され、多重されて送信されている。番組情報のデータは、ＳＩ(Service Information、番組配列情報)のＥＩＴ(Event Information Table)に含まれており、信号処理部４からの出力された情報を制御部１１が解析して番組表を生成する。生成された番組表は、重畳処理部６、映像処理部７と制御部１３によって構成された表示制御部２７によって画面９に表示される。
【００３３】
隣接番組情報取得手段２５は、再生中の録画番組と同じチャンネルにおける再生中の録画番組より時間軸上の以前の録画番組で再生中の録画番組に最も近い録画番組の番組情報（例えばメタ情報）を取得し、また、再生中の録画番組より時間軸上の以後の録画番組で再生中の録画番組に最も近い録画番組の番組情報を取得する手段である。更に、隣接番組情報取得手段２５は、以前の録画番組よりも更に以前の録画番組の番組情報が存在するか否かを検出し、更に、以後の録画番組よりも更に以後の録画番組の番組情報が存在するか否かを検出する。
【００３４】
また、隣接番組情報取得手段２５は、再生中の録画番組と同じ時間帯かつ再生中の録画番組のチャンネルより小さいチャンネル番号の録画番組で再生中の録画番組に最も近いチャネル番号の録画番組の番組情報（例えばメタ情報）を取得し、また、再生中の録画番組と同じ時間帯かつ再生中の録画番組のチャンネルより大きいチャンネル番号の録画番組で再生中の録画番組に最も近いチャネル番号の録画番組の番組情報を取得する手段である。更に、隣接番組情報取得手段２５は、再生中の録画番組と同じ時間帯かつ小さいチャンネル番号の録画番組より更に小さいチャンネル番号の録画番組の番組情報が存在するか否かを検出し、更に、再生中の録画番組と同じ時間帯かつ大きいチャンネル番号の録画番組より更に大きいチャンネル番号の録画番組の番組情報が存在するか否かを検出する。
【００３５】
ＯＳＤデータ生成部２６は、ＯＳＤ（On Screen Display）データを生成し、生成されたＯＳＤデータはバス１２を介して重畳処理部６へ送信される。重畳処理部６に送付されたＯＳＤデータは、映像データに重畳処理されたり、或いはＯＳＤ単独画面として処理され、映像処理部７へ伝送され画面９に表示される。
【００３６】
図２は、リモコン４０の実施例を示した概観図である。リモコン４０は赤外線あるいはBluetooth等による無線通信を利用して、オーディオデータ再生装置１の操作受信部１９へ操作信号を送る。電源ボタン４１は、オーディオデータ再生装置１の電源をオンまたはオフする。詳細にはオーディオデータ再生装置１を待機状態から動作状態、または動作状態から待機状態にするボタンである。
【００３７】
チャンネルボタン４２は、チャンネル番号を直接選択する１から１２までの番号が振られたボタンである。チャネル送りボタン４３は、チャネル番号を順送りまたは逆送りで選局するボタンであり、チャンネルボタン４２と同様にチャネルを選局するときに用いられる。音量調整ボタン４４は、番組を視聴するときの音量を調整するボタンである。
【００３８】
カーソルボタン４５は表示装置７の画面８に表示されたＧＵＩ画面の各種の情報ウィンドウ内のカーソルの移動や各種項目の選択ボタンの移動を行うためのボタンである。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタンで移動した先の位置または画面上のボタンを実行するときに用いられる。
【００３９】
タッチパッド部４７は、指先で触れた状態でタッチパッド部４７の表面をなぞることによってカーソルあるいは選択する対象を移動することができる。斜め方向になぞることによって、カーソルあるいは選択する対象を斜め方向に移動することができる。
【００４０】
番組表ボタン４８は、番組表（ＥＰＧ画面）を画面９に表示するときに操作する専用の操作ボタンである。過去番組表ボタン４９は、録画された番組の録画番組表を画面９に表示するときの操作する専用の操作ボタンである。
【００４１】
隣接番組ボタン５０は、録画番組の再生中に、隣接番組表示を表示させるための専用の操作ボタンである。録画番組の再生中に、再生中の録画番組の前後の時間の録画番組の番組情報を上下に配置し、再生中の録画番組と同じ時間帯かつ再生可能な他のチャネル番号の録画番組の番組情報を左右に配置し、十字状に番組情報を表示させるためのボタンである。
【００４２】
戻るボタン５１は、カーソルボタン４５でカーソルを移動した後や設定変更した後で前の状態に戻るときに操作するボタンである。終了ボタン５２は、一連の操作を終了するときに操作するボタンである。録画装置操作ボタン５３は、録画装置１８に記録された番組を視聴する際に、再生、停止、一時停止、早送り再生、早戻し再生、次番組スキップ、先頭戻り・前番組スキップするためのボタンである。
【００４３】
図３は、画面９に表示されたＥＰＧデータによる番組表５５の例を示した図である。図３においては、５月９日の午後８時３０分において、５月１３（木）の午前１０時から午後３時５９分までの６時間に亘る時間帯について、１〜８チャンネルの８チャンネル分が表示されている。カーソルを移動することによって時間帯、チャンネルを変更することができる。
【００４４】
視聴者は、番組表５５を見ながら、複数のチャンネルと時間帯を指定して録画指定することができる。図３においては、５月１３（木）の午前１０時から午後１時までの３時間に亘る時間帯について、１、２、４、５、６、７、８チャンネルの番組を録画指定した例を示している。録画指定した時間とチャンネルは背景色が変化して（網掛け部分）視聴者が時間帯とチャンネルを確認し易くなっている。同様にして、日時、時間帯、チャンネルを変えて他の番組の予約指定をすることができる。
【００４５】
図４は、録画されたチャンネルと時間帯の例を示した図である。図４においては、例として、５月１３日の午前１０時から午後１時までの３時間について、１、２、４、５、６、７、８、９チャンネルの番組が録画されたことを示している。また、午後６時から翌日の午前０時までの６時間について、１、２、４、５、６、７、８、９チャンネルの番組が録画されたことを示している。上記した時間帯とチャンネルを太い線で囲まれた部分で示している。尚、図４においては、図面の簡単化のため、番組名については其々の番組名を記載せず、簡略化して表示している。
【００４６】
図５は、表示装置８の画面９に表示された録画済み番組の録画番組表の例を示した図である。録画番組表５６は、ほぼ画面９一杯に表示される場合と画面９の中の範囲を指定して録画番組表の一部が表示される場合があるが、図５においては、ほぼ画面９一杯に表示された場合を示している。録画番組表５６は録画番組表生成部２４によって生成され、表示制御部２７によって画面９に表示される。録画番組表５６は、リモコン４０の過去番組表ボタン４９を押下することにより、画面９に表示される。
【００４７】
録画番組表５６の基本的な表示様態はＥＰＧデータによる番組表の表示形態と同様に、画面９の横方向にチャンネルを示すチャンネル軸５７、縦方向に時間を示す時間軸５８が配置されている。番組表５５については、デジタル放送受信機１が受信可能なチャンネル全体及び現在時刻以降の連続した時間を対象としているが、これに対して録画番組表５６は、録画指定された複数のチャンネルと録画指定された時間帯における録画番組を対象として表示する。
【００４８】
図５において、チャンネル軸５７には録画指定したチャンネルが表示されている。８チャンネル分のチャンネル表示部５９ａ〜５９ｈが表示されている。リモコンのカーソルボタンを操作することにより、画面９に表示されていない他のチャンネルを右スクロールまたは左スクロールすることにより閲覧することができる。
【００４９】
図５において、図４における太い線で囲まれた部分の中の網掛けされた部分が表示されている。時間軸５８には、録画指定した時間が表示されている。６時間分の時間表示部６０ａ〜６０ｆが表示されている。時間表示部６０ａは５月１３日の午前１０時から午前１１時までの１時間の時間帯、時間表示部６０ｂは５月１３日の午前１１時から午後０時までの１時間の時間帯、時間表示部６０ｃは５月１３日の午後０時から午後１時までの１時間の時間帯を表し、時間表示部６０ａ〜６０ｃは３時間連続した時間帯を示している。時間表示部６０ｄは５月１３日の午後６時から午後７時までの１時間の時間帯、時間表示部６０ｅは５月１３日の午後７時から午後８時までの１時間の時間帯、時間表示部６０ｆは５月１３日の午後７時から午後８時までの１時間の時間帯が表示されている。リモコンのカーソルボタンを操作することにより、画面９に表示されていない他の時間帯を上スクロールまたは下スクロールすることにより閲覧することができる。尚、時間軸５８は画面右側にも表示されている。
【００５０】
図５において、番組表示部６１の領域の部分は、図面の簡単化のため番組の分類名だけを記載しているが、チャンネル、時間別に録画番組名と簡単な番組紹介が記載されている。この記載内容はＥＰＧデータによる番組表の表示と同様である。番組が録画されるときには、ＥＰＧによる番組情報データも同時に記録され、録画番組表生成部２４が録画番組表５６を生成する際に利用される。
【００５１】
図５において、チャンネル表示部５９ａ〜５９ｈの内部にサムネイル表示部６２ａ〜６２ｈが配置されている。サムネイルとは、多数の画像を一覧表示するために縮小された画像のことである。画像は動画または静止画である。サムネイル表示部６２ａ〜６２ｈには、録画番組表５６の中で視聴者によって選択された番組（例えば、番組６３（チャンネル６、時間帯午後７時、網掛け部分））と同じ時間帯の各チャンネルの録画番組のサムネイルが表示されている。
【００５２】
視聴者が、録画済の番組を視聴しようとする場合には、リモコン４０の過去番組表ボタン４９を押下して画面９に録画番組表５６を表示し、リモコン４０のカーソルボタン４５ａ〜４５ｄを操作して録画番組を選択し、決定ボタン４６を押下することによって、所望の録画番組を視聴することができる。視聴者が、別の録画番組を視聴しようとする場合には、番組を視聴中に過去番組表ボタン４９を押下して録画番組表５６を再度表示して同じように操作する必要がある。
【００５３】
図６は、画面９に表示された隣接番組表示の例を示した図である。視聴者は、録画番組の再生中に、リモコン４０の隣接番組ボタン５０を押下するか、または、カーソルボタン４５ａ〜４５ｄの何れかのボタンを押下することによって画面に隣接番組表示７０を表示することができる。図６においては、画面９の中央に表示されているが、隣接番組表示７０全体が縮小されて、例えば、画面の左下部分や右下部分に表示されるようにしてもよい。
【００５４】
図６において、再生中の番組が図５における番組６３であるとすると、隣接番組表示７０の中心部に番組６３の番組情報６３ａ（例えば、放送局名、番組名、放送時間等）が配置され、ハイライト表示されている。番組情報６３ａの上方には、番組６４の番組情報６４ａが配置されており、下方には、番組６５の番組情報６５ａが配置されている。また、番組情報６３ａの左方には、番組６６の番組情報６６ａが配置されており、右方には、番組６７の番組情報６７ａが配置されている。したがって再生中の番組情報６３ａを中心として十字状に番組情報が配置されている。
【００５５】
隣接番組表示７０が表示された状態で、視聴者が、例えば、左方向カーソルボタン４５ａを押下すると、画面９の再生番組が番組６６に切り替わる。カーソルボタン４５ａ〜４５ｄの何れかを押下することによって、押下された方向の番組が再生される。
【００５６】
図７は、隣接番組表示７０の詳細を示した図である。隣接番組表示７０は、画面９の一部に、再生中の録画番組の番組情報７１（例えば、放送局名、番組名、放送時間等）を中心に配置され、再生中の録画番組と同じチャンネルにおける再生中の録画番組より時間軸上の以前の録画番組で再生中の録画番組に最も近い録画番組（時間隣接番組）の番組情報７２を上方に配置され、再生中の録画番組と同じチャンネルにおける再生中の録画番組より時間軸上の以後の録画番組で再生中の録画番組に最も近い録画番組（時間隣接番組）の番組情報７３を下方に配置されて表示されている。
【００５７】
また、隣接番組表示７０は、画面９の一部に、再生中の録画番組の番組情報７１を中心に配置し、再生中の録画番組と同じ時間帯かつ再生中の録画番組のチャンネルより小さいチャンネル番号の録画番組で再生中の録画番組に最も近いチャネル番号の録画番組（チャンネル隣接番組）の番組情報７４を左方に配置され、再生中の録画番組と同じ時間帯かつ再生中の録画番組のチャンネルより大きいチャンネル番号の録画番組で再生中の録画番組に最も近いチャネル番号の録画番組（チャンネル隣接番組）の番組情報７５を右方に配置されて表示されている。
【００５８】
番組情報７１と番組情報７２〜７５の間には、再生する番組が変更可能であることを示すマーク７６ａ〜７６ｄが表示されている。番組情報７２の録画番組よりも更に以前の録画番組の番組情報が存在する場合には、番組情報７２の上方に更に以前の録画番組が存在することを示すマーク７７ａを表示する。同様に、番組情報７３の録画番組よりも更に以後の録画番組の番組情報が存在する場合には、番組情報７３の下方に更に以後の録画番組が存在することを示すマーク７７ｂを表示する。
【００５９】
番組情報７４の録画番組よりも更に小さいチャンネル番号の録画番組の番組情報が存在する場合に、小さいチャンネル番号の録画番組の番組情報７４の左方に更に小さいチャンネル番号の録画番組が存在することを示すマーク７７ｃを表示する。
【００６０】
また、録画番組のチャンネル数が３個以上の場合には、チャンネル番号は巡回表示が可能であり、番組情報７４の録画番組よりも更に小さいチャンネル番号の録画番組の番組情報が存在しない場合には、最も大きいチャネル番号の番組情報が存在することを示すマーク７７ｃを表示する。
【００６１】
番組情報７５の録画番組よりも更に大きいチャンネル番号の録画番組の番組情報が存在する場合に、大きいチャンネル番号の録画番組の番組情報７５の右方に更に大きいチャンネル番号の録画番組が存在することを示すマーク７７ｄを表示する。
【００６２】
また、録画番組のチャンネル数が３個以上の場合には、チャンネル番号は巡回表示が可能であり、番組情報７５の録画番組よりも更に大きいチャンネル番号の録画番組の番組情報が存在しない場合には、最も小さいチャネル番号の番組情報が存在することを示すマーク７７ｄを表示する。
【００６３】
図８は、図７に示した隣接番組表示７０の状態からから再生番組を切り替えた後の隣接番組表示７０ａの詳細を示した図である。図７に示した隣接番組表示７０において、左方向カーソルボタン４５ａを押下すると、再生番組がＡ放送局の番組名ＡからＢ放送局の番組名Ｄに切り替わる。Ｂ放送局の番組名Ｄに変更された直後に図８に示した隣接番組表示７０ａに切り替わる。再生番組がＢ放送局の番組名Ｄであるので、中心の番組情報は番組情報７４に切り替わり、上方の番組情報はＢ放送局における再生中の録画番組より時間軸上の以前の録画番組で再生中の録画番組に最も近い録画番組の番組情報７８に切り替わる。同様に下方の番組情報は番組情報７９に切り替わる。また、左方の番組情報は、Ｂ放送局の番組名Ｄと同じ時間帯かつＢ放送局のチャンネルより小さいチャンネル番号の録画番組でＢ放送局のチャンネルに最も近いチャネル番号の録画番組の番組情報８０が表示される。
【００６４】
図９は、隣接番組表示処理の動作手順を示したフローチャートである。隣接番組表示処理は、視聴者が録画番組の再生中にリモコン４０の隣接番組ボタン５０を押下するか、または、カーソルボタン４５ａ〜４５ｄの何れかのボタンを押下すると、制御部１３がそれを検出し、隣接番組表示処理を開始する。
【００６５】
Ｓ１１において、隣接番組情報取得手段２５は、録画装置１８に記録された録画情報から、再生中の録画番組と同じチャンネルにおける再生中の録画番組より時間軸上の以前の録画番組で再生中の録画番組に最も近い録画番組（時間隣接番組）の番組情報を取得し、また、再生中の録画番組より時間軸上の以後の録画番組で再生中の録画番組に最も近い録画番組（時間隣接番組）の番組情報を取得し、録画番組のメタ情報を取得する。隣接番組情報取得手段２５は、以前の録画番組よりも更に以前の録画番組が存在するか否かを検出し、更に、以後の録画番組よりも更に以後の録画番組が存在するか否かを検出する。
【００６６】
Ｓ１２において、隣接番組情報取得手段２５は、再生中の録画番組と同じ時間帯かつ再生中の録画番組のチャンネルより小さいチャンネル番号の録画番組で再生中の録画番組に最も近いチャネル番号の録画番組（チャンネル隣接番組）の番組情報を取得し、また、再生中の録画番組と同じ時間帯かつ再生中の録画番組のチャンネルより大きいチャンネル番号の録画番組で再生中の録画番組に最も近いチャネル番号の録画番組（チャンネル隣接番組）の番組情報を取得し、録画番組のメタ情報を取得する。また、隣接番組情報取得手段２５は、再生中の録画番組と同じ時間帯かつ小さいチャンネル番号の録画番組より更に小さいチャンネル番号の録画番組が存在するか否かを検出し、更に、再生中の録画番組と同じ時間帯かつ大きいチャンネル番号の録画番組より更に大きいチャンネル番号の録画番組が存在するか否かを検出する。
【００６７】
Ｓ１３において、ＯＳＤデータ生成部２６は、隣接番組情報取得手段２５によって取得された録画番組のメタ情報に基づいて、隣接番組表示７０のＯＳＤデータを生成する。表示制御部２７が、隣接番組表示７０のＯＳＤデータを画面９に表示する。
【００６８】
隣接番組情報取得手段２５は、再生中の録画番組について最大２個の時間隣接番組と最大２個のチャンネル隣接番組の合計最大４個の隣接番組の番組情報を検索し取得するだけであるので、短時間でメタ情報を取得することが可能である。またＯＳＤデータ生成部２６は、表示する情報量が小さいため短時間で隣接番組表示７０のＯＳＤデータを生成することができる。従って、視聴者がリモコン４０の隣接番組ボタン５０を押下したり、または、カーソルボタン４５ａ〜４５ｄの何れかのボタンを押下すると比較的短時間で隣接番組表示７０を表示することができる。
【００６９】
Ｓ１４において、制御部１３は、カーソルボタン４５が押下されたかを判定する。カーソルボタン４５が押下されたならば押下された方向の番組情報の録画番組を再生し、Ｓ１１へ復帰する。視聴者は、切り替えたい番組の方向のカーソルボタンを押下するだけで再生番組を切り替えることができる。
【００７０】
Ｓ１６において、カーソルボタン４５が押下されず、所定時間が経過したか、または終了ボタンが押下されたならば、隣接番組表示７０の表示を止め、処理を終了する。
【００７１】
以上の実施例のように、録画番組の再生中に視聴者がリモコン４０の隣接番組ボタン５０を押下したり、または、カーソルボタン４５ａ〜４５ｄの何れかのボタンを押下すると、番組の再生画面上に隣接番組表示７０が重ねて表示され、視聴者は、切り替えたい番組の方向のカーソルボタンを押下するだけで再生番組を切り替えることができる。番組を切り替えた後は、隣接番組表示７０は、切り替えた後の録画番組を中心配置とした隣接番組表示に切り替わるため、視聴者は、カーソルボタン４５ａ〜４５ｄの操作により、連続して番組を切り替えることが可能である。録画済み番組のザッピングに近い視聴が可能となり、他の録画済み番組を容易に再生することが可能となる。
【００７２】
図１０は、２個のチャンネルについて録画された時間帯とチャンネルの例を示した図である。図１０においては、例として、５月１３日の午前１０時から午後１時までの３時間について、４、６チャンネルの番組が録画されたことを示している。また、午後６時から翌日の午前０時までの６時間について、４、６チャンネルの番組が録画されたことを示している。上記した時間帯とチャンネルを太い線で囲まれた部分で示している。尚、図１０においては、図面の簡単化のため、番組名については其々の番組名を記載せず、簡略化して表示している。
【００７３】
図１１は、２個のチャンネルについて録画された録画済み番組の録画番組表８１の例を示した図である。図１１において、図１０における太い線で囲まれた部分の中の網掛けされた部分が表示されている。時間軸５８には、録画指定した６時間分の時間が表示されている。チャンネル軸５７には録画指定した４、６チャンネルの二つのチャンネルが表示されている。
【００７４】
図１２は、画面９に表示された録画番組のチャンネルの数が２個の場合の隣接番組表示８２の例を示した図である。再生中の番組が図１１における番組６３であるとすると、隣接番組表示８２の中心部に番組６３の番組情報６３ａ（例えば、放送局名、番組名、放送時間等）が配置され、ハイライト表示されている。番組情報６３ａの上方には、番組６４の番組情報６４ａが配置されており、下方には、番組６５の番組情報６５ａが配置されている。また、番組情報６３ａの左方には、番組８３の番組情報８３ａが配置されている。録画番組のチャンネルの数が２個の場合には、更に小さいチャンネル番号や更に大きいチャンネル番号の録画番組の番組情報が存在することを示すマークは表示されない。
【００７５】
（実施形態２）
図１３は、実施形態２における隣接番組表示の例を示した図である。この実施形態２の各部について、図１に示す実施形態１のデジタル放送受信機の各部と同一部分は同一符号である。この実施形態２が実施形態１と異なる点は、実施形態１における図７に示した時間隣接番組及びチャンネル隣接番組の番組情報の内部に、図１３に示すようにそれぞれサムネイルを追加した構成としたことである。サムネイルは、動画像または静止画像のいずれであってもよい。
【００７６】
隣接番組表示８４の時間隣接番組の番組情報８５の内部にサムネイル８５ａ、時間隣接番組の番組情報８６の内部にサムネイル８６ａ、チャンネル隣接番組の番組情報８７の内部にサムネイル８７ａ、チャンネル隣接番組の番組情報８８の内部にサムネイル８８ａが含まれている。視聴者がザッピングをするとき、文字情報以外に切り替え先の録画番組の画像の一部を確認することができるため、たいへん便利である。
【００７７】
（実施形態３）
図１４は、実施形態３における隣接番組表示の例を示した図である。この実施形態３の各部について、図１に示す実施形態１のデジタル放送受信機の各部と同一部分は同一符号である。この実施形態３が実施形態１と異なる点は、実施形態１における図７に示した再生中の録画番組の番組情報７１を、図１４に示すように削除したことである。再生中の番組情報を削除することによって、隣接番組表示８９のサイズを縮小することができ、再生中の番組の視聴領域を大きくすることができる。
【００７８】
（実施形態４）
図１５は、実施形態４における隣接番組表示の例を示した図である。この実施形態４の各部について、図１に示す実施形態１のデジタル放送受信機の各部と同一部分は同一符号である。この実施形態４が実施形態１と異なる点は、図１５に示すように、チャンネル隣接番組についても、チャンネル隣接番組の時間隣接番組を追加したことである。
【００７９】
隣接番組情報取得手段２５は、チャンネル隣接番組の番組情報を検索しメタ情報を取得した後に、そのチャンネル隣接番組の時間隣接番組の番組情報を検索しメタ情報を取得する。ＯＳＤデータ生成部２６は、隣接番組情報取得手段２５によって取得された録画番組のメタ情報に基づいて、隣接番組表示９０のＯＳＤデータを生成する。表示制御部２７が、隣接番組表示９０のＯＳＤデータを画面９に表示する。最大８個の隣接番組の番組情報が表示されるため視聴者の選択範囲を拡大することが可能となる。
【００８０】
画面９に隣接番組表示９０を表示したときには、中心の番組情報７１がハイライトされており、リモコン４０のカーソルボタン４５ａ〜４５ｄを操作することにより、番組情報７２、７３、７４、７５に移動して再生番組を切り替えることができる。番組情報７１に対して斜め方向にある番組情報９１、９２、９３、９４については、リモコン４０のタッチパッド部４７を用いて斜め方向に移動することができる。
【００８１】
タッチパッド部４７は、指先で触れた状態でタッチパッド部４７の表面をなぞることによってカーソルあるいは選択する対象を移動することができる。斜め方向になぞることによって、カーソルあるいは選択する対象を斜め方向に移動することができる。
【００８２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００８３】
１  デジタル放送受信機
２  アンテナ
３  チューナ
４  復調器
５  デコード処理部
６  重畳処理部
７  映像処理部
８  表示装置
９  画面
１０  音声処理部
１１  スピーカ
１２  バス
１３  制御部
１４  ＭＰＵ
１５  ＲＡＭ
１６  ＲＯＭ記憶部
１７  フラッシュメモリ
１８  録画装置
１９  外部インターフェース
２０  外部記憶装置
２１  操作受信部
２２  操作機器
２３  送受信部
２４  録画番組表生成部
２５  隣接番組情報取得手段
２６  ＯＳＤデータ生成部
２７  表示制御部
２９  放送局
３０  ネットワーク
３１  サーバ
４０  リモコン
４５ａ、４５ｂ、４５ｃ、４５ｄ  カーソルボタン
４６  決定ボタン
４７  タッチパッド部
４９  過去番組表ボタン
５０  隣接番組ボタン
５５  番組表
５６  録画番組表
７０、７０ａ  隣接番組表示
【図１】
2011254169.tif 000003
【図２】
2011254169.tif 000004
【図３】
2011254169.tif 000005
【図４】
2011254169.tif 000006
【図５】
2011254169.tif 000007
【図６】
2011254169.tif 000008
【図７】
2011254169.tif 000009
【図８】
2011254169.tif 000010
【図９】
2011254169.tif 000011
【図１０】
2011254169.tif 000012
【図１１】
2011254169.tif 000013
【図１２】
2011254169.tif 000014
【図１３】
2011254169.tif 000015
【図１４】
2011254169.tif 000016
【図１５】
2011254169.tif 000017
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
録画指定されたチャンネルの番組を録画指定された複数の異なる時間帯に亘って録画する録画手段と、
再生中の第１の録画番組と同じチャンネルにおける前記第１の録画番組より前で前記第１の録画番組に最も近い第２の録画番組と、前記第１の録画番組より後で前記第１の録画番組に最も近い第３の録画番組の番組情報を取得する隣接番組情報取得手段と、
前記第１の録画番組の画像を画面に表示すると共に、前記画面に表示された画像の一部に前記第１の録画番組の前記番組情報を中心として、前記第２、第１、第３の録画番組の前記番組情報を順に配置して表示し、かつ前記第２の番組より前の番組および前記第３の番組より後の番組の番組情報を表示しない表示手段と、
を有するデジタル放送受信機。
【請求項２】
録画指定されたチャンネルの番組を録画指定された複数の異なる時間帯に亘って録画する録画手段と、
再生中の第１の録画番組と同じ時間帯かつ前記第１の録画番組のチャンネルより小さく最も近いチャンネル番号の第４の録画番組と、前記第１の録画番組と同じ時間帯かつ前記第１の録画番組のチャンネルより大きく最も近いチャンネル番号の第５の録画番組の番組情報を取得する隣接番組情報取得手段と、
前記第１の録画番組の画像を画面に表示すると共に、前記画面に表示された画像の一部に前記第１の録画番組の前記番組情報を中心として、前記第４、第１、第５の録画番組の前記番組情報を順に配置して表示し、かつ前記第４の番組より小さいチャンネルの番組および前記第５の番組より大きいチャンネルの番組の番組情報を表示しない表示手段と、
を有するデジタル放送受信機。
【請求項３】
前記表示手段は、前記第２の録画番組よりも更に前の録画番組が存在する場合に、更に前の録画番組が存在することを示すマークをこのマーク、前記第２、第１、第３の録画番組の前記番組情報の順に配置して表示する請求項１記載のデジタル放送受信機。
【請求項４】
前記表示手段は、前記第３の録画番組よりも更に後の録画番組が存在する場合に、更に後の録画番組が存在することを示すマークを前記第２、第１、第３の録画番組の前記番組情報、このマークの順に配置して表示する請求項１記載のデジタル放送受信機。
【請求項５】
前記表示手段は、前記第４の録画番組より更に小さいチャンネル番号の録画番組が存在する場合に、更に小さいチャンネル番号の録画番組が存在することを示すマークをこのマーク、前記第４、第１、第５の録画番組の前記番組情報の順に配置して表示する請求項２記載のデジタル放送受信機。
【請求項６】
前記表示手段は、前記第５の録画番組より更に大きいチャンネル番号の録画番組が存在する場合に、更に大きいチャンネル番号の録画番組が存在することを示すマークを前記第４、第１、第５の録画番組の前記番組情報、このマークの順に配置して表示する請求項２記載のデジタル放送受信機。
【請求項７】
前記第２の録画番組の前記番組情報が選択された場合に、再生される番組が前記第１の録画番組から前記第２の録画番組に切り換える制御手段を有する請求項１記載のデジタル放送受信機。
【請求項８】
前記第４の録画番組の前記番組情報が選択された場合に、再生される番組が前記第１の録画番組から前記第４の録画番組に切り換える制御手段を有する請求項２記載のデジタル放送受信機。
【請求項９】
録画指定されたチャンネルの番組を録画指定された複数の異なる時間帯に亘って録画し再生中の録画番組と同じチャンネルにおける前記再生中の録画番組より前の録画番組と、前記再生中の録画番組より後の録画番組の番組情報を取得し、
再生中の第１の録画番組と同じ時間帯かつ前記第１の録画番組のチャンネルより小さく最も近いチャンネル番号の第４の録画番組と、前記第１の録画番組と同じ時間帯かつ前記第１の録画番組のチャンネルより大きく最も近いチャンネル番号の第５の録画番組の番組情報を取得し、
前記第１の録画番組の画像を画面に表示すると共に、前記画面に表示された画像の一部に前記第１の録画番組の前記番組情報を中心として、前記第４、第１、第５の録画番組の前記番組情報を順に配置して表示し、かつ前記第４の番組より小さいチャンネルの番組および前記第５の番組より大きいチャンネルの番組の番組情報を表示しない録画番組表示方法。
【手続補正２】
【補正対象書類名】明細書
【補正対象項目名】００１１
【補正方法】変更
【補正の内容】
【００１１】
上記目的を達成するために、実施形態によれば、デジタル放送受信機は、録画指定されたチャンネルの番組を録画指定された複数の異なる時間帯に亘って録画する録画手段と、再生中の第１の録画番組と同じチャンネルにおける前記第１の録画番組より前で前記第１の録画番組に最も近い第２の録画番組と、前記第１の録画番組より後で前記第１の録画番組に最も近い第３の録画番組の番組情報を取得する隣接番組情報取得手段と、前記第１の録画番組の画像を画面に表示すると共に、前記画面に表示された画像の一部に前記第１の録画番組の前記番組情報を中心として、前記第２、第１、第３の録画番組の前記番組情報を順に配置して表示し、かつ前記第２の番組より前の番組および前記第３の番組より後の番組の番組情報を表示しない表示手段と、を有する。
【手続補正３】
【補正対象書類名】明細書
【補正対象項目名】００２３
【補正方法】変更
【補正の内容】
【００２３】
フラッシュメモリ１７は、書き換え可能であり、電源を切ってもデータが消えない不揮発性の半導体メモリである。フラッシュメモリ１７は、録画番組情報、録画予約情報等を記憶する機能を有する。
【手続補正４】
【補正対象書類名】明細書
【補正対象項目名】００３６
【補正方法】変更
【補正の内容】
【００３６】
図２は、リモコン４０の実施例を示した概観図である。リモコン４０は赤外線あるいはBluetooth等による無線通信を利用して、オーディオデータ再生装置１の操作受信部２１へ操作信号を送る。電源ボタン４１は、オーディオデータ再生装置１の電源をオンまたはオフする。詳細にはオーディオデータ再生装置１を待機状態から動作状態、または動作状態から待機状態にするボタンである。
【手続補正５】
【補正対象書類名】明細書
【補正対象項目名】００３８
【補正方法】変更
【補正の内容】
【００３８】
カーソルボタン４５は表示装置８の画面９に表示されたＧＵＩ画面の各種の情報ウィンドウ内のカーソルの移動や各種項目の選択ボタンの移動を行うためのボタンである。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタンで移動した先の位置または画面上のボタンを実行するときに用いられる。
【手続補正６】
【補正対象書類名】明細書
【補正対象項目名】００４９
【補正方法】変更
【補正の内容】
【００４９】
図５において、図４における太い線で囲まれた部分の中の網掛けされた部分が表示されている。時間軸５８には、録画指定した時間が表示されている。６時間分の時間表示部６０ａ〜６０ｆが表示されている。時間表示部６０ａは５月１３日の午前１０時から午前１１時までの１時間の時間帯、時間表示部６０ｂは５月１３日の午前１１時から午後０時までの１時間の時間帯、時間表示部６０ｃは５月１３日の午後０時から午後１時までの１時間の時間帯を表し、時間表示部６０ａ〜６０ｃは３時間連続した時間帯を示している。時間表示部６０ｄは５月１３日の午後６時から午後７時までの１時間の時間帯、時間表示部６０ｅは５月１３日の午後７時から午後８時までの１時間の時間帯、時間表示部６０ｆは５月１３日の午後８時から午後９時までの１時間の時間帯が表示されている。リモコンのカーソルボタンを操作することにより、画面９に表示されていない他の時間帯を上スクロールまたは下スクロールすることにより閲覧することができる。尚、時間軸５８は画面右側にも表示されている。